(57)【要約】【課題】制御装置がスマートメータ（ＳＭ）と無線通信できない場合でも、ＳＭとの間でデータの授受のための認証処理を可能にする通信システムを提供する。【解決手段】通信ネットワークを構成する制御装置１００及び１以上の機器（２００、２００ｘ、２００ｙ）を備える通信システム１０において、機器２００等は、スマートメータ（ＳＭ）３００に対して認証を要求するために、ＳＭ３００との間で無線通信を行う特定通信装置２９０を装着するための装着部２３０と、装着部２３０に特定通信装置２９０が装着されている場合に特定通信装置２９０から取得した情報を制御装置１００に送信する送信部２２５とを備え、制御装置１００は、機器２００から送信された情報を受信する受信部１２３を備える。【選択図】図４
2016038799.tif 000002
【特許請求の範囲】
【請求項１】
制御装置と共に一施設で用いられる機器であって、
前記施設におけるエネルギーの使用量を測定し認証の成功を条件として当該測定結果に基づく情報を送信するスマートメータに対して認証を要求するために、当該スマートメータとの間で無線通信を行う特定通信装置を装着するための装着部と、
前記装着部に前記特定通信装置が装着されている場合に前記特定通信装置から取得した情報を前記制御装置に送信する送信部とを備える
機器。
【請求項２】
前記機器は更に、
前記制御装置から認証用情報を受信する受信部と、
前記受信部に受信された認証用情報を前記特定通信装置に伝達する伝達部とを備える
請求項１記載の機器。
【請求項３】
一施設で情報の授受を行うための通信ネットワークを構成する制御装置及び１以上の機器を備える通信システムであって、
前記機器は、
前記施設におけるエネルギーの使用量を測定し認証の成功を条件として当該測定結果に基づく情報を送信するスマートメータに対して認証を要求するために、当該スマートメータとの間で無線通信を行う特定通信装置を装着するための装着部と、
前記装着部に前記特定通信装置が装着されている場合に前記特定通信装置から取得した情報を前記制御装置に送信する送信部とを備え、
前記制御装置は、
前記機器から送信された前記特定通信装置に係る前記情報を受信する受信部を備える
通信システム。
【請求項４】
前記制御装置は更に、
前記受信部が前記機器から送信された前記情報を受信した場合に当該機器を示す機器情報を記録する記録部と、
前記記録部に記録された機器情報が示す機器に対して、前記スマートメータに対して前記測定結果に基づく情報の送信を要求するよう指示する指示部とを有し、
前記機器は更に、前記制御装置から前記指示を受けた場合に、前記特定通信装置に、前記スマートメータに対して前記測定結果に基づく情報の送信を要求するための通信を行わせる制御部を有する
請求項３記載の通信システム。
【請求項５】
前記機器は更に、
前記制御装置から認証用情報を受信する受信部と、
前記受信部に受信された認証用情報を前記特定通信装置に伝達する伝達部とを備え、
前記特定通信装置は、前記機器から伝達された認証用情報を前記スマートメータに送信することで前記認証の要求を行う
請求項３又は４記載の通信システム。
【発明の詳細な説明】
【技術分野】
【０００１】
本発明は、通信システムに関し、特にスマートメータとの間で無線通信を行う通信システムに関する。
【背景技術】
【０００２】
従来、家庭内のエネルギー管理をするＨＥＭＳ（Home Energy Management System）が知られている。ＨＥＭＳでは、エネルギー消費の抑制等のために、家庭内の１台以上のＨＥＭＳ機器をＨＡＮ（Home Area Network）を介してＨＥＭＳコントローラが制御する。
【０００３】
また、従来、ガス、電気、水等の使用量を測定するメータ（スマートメータ）に予め登録された情報と一致する情報を送信する認証処理を経てメータから使用量のデータを読み出す端末が知られている（特許文献１参照）。
【先行技術文献】
【特許文献】
【０００４】
【特許文献１】特開２０１４−１１６５９号公報
【発明の概要】
【発明が解決しようとする課題】
【０００５】
ところで、ＨＥＭＳで家庭での電力使用量等を利用するために、ＨＥＭＳコントローラがスマートメータから電力使用量等の測定結果を無線通信で取得しようとしても、取得できない場合もある。例えばスマートメータからの電波の到達範囲を超えて離れた位置にＨＥＭＳコントローラが設置されているような場合には、無線通信ができないためＨＥＭＳコントローラがスマートメータに認証されないからである。
【０００６】
そこで、本発明は、通信システム（例えばＨＥＭＳ）において制御装置（例えばＨＥＭＳコントローラ）がスマートメータと無線通信できない場合でも、スマートメータとの間でデータの授受のための認証処理を可能にする通信システムを提供する。また、本発明は、この通信システムに用いられる機器を提供する。
【課題を解決するための手段】
【０００７】
上記課題を解決するために本発明の一態様に係る機器は、制御装置と共に一施設で用いられる機器であって、前記施設におけるエネルギーの使用量を測定し認証の成功を条件として当該測定結果に基づく情報を送信するスマートメータに対して認証を要求するために、当該スマートメータとの間で無線通信を行う特定通信装置を装着するための装着部と、
前記装着部に前記特定通信装置が装着されている場合に前記特定通信装置から取得した情報を前記制御装置に送信する送信部とを備える機器である。
【０００８】
また、上記課題を解決するために本発明の一態様に係る通信システムは、一施設で情報の授受を行うための通信ネットワークを構成する制御装置及び１以上の機器を備える通信システムであって、前記機器は、前記施設におけるエネルギーの使用量を測定し認証の成功を条件として当該測定結果に基づく情報を送信するスマートメータに対して認証を要求するために、当該スマートメータとの間で無線通信を行う特定通信装置を装着するための装着部と、前記装着部に前記特定通信装置が装着されている場合に前記特定通信装置から取得した情報を前記制御装置に送信する送信部とを備え、前記制御装置は、前記機器から送信された前記特定通信装置に係る前記情報を受信する受信部を備える通信システムである。
【発明の効果】
【０００９】
本発明の通信システム及び機器は制御装置がスマートメータと無線通信できない場合でもスマートメータとの間での認証処理を可能にし、これにより制御装置はスマートメータからの情報を取得可能となる。
【図面の簡単な説明】
【００１０】
【図１】実施形態１に係る通信システム、スマートメータ及び管理装置の関係を示すシステム概略図である。
【図２】実施形態１に係る制御装置、機器、特定通信装置及びスマートメータの構成を示す構成図である。
【図３】機器及び特定通信装置の外観図である。
【図４】通信システム及びスマートメータの機能ブロック図である。
【図５】通信システムで用いられるプロトコルスタックを示す図である。
【図６】制御装置の動作を示すフローチャートである。
【図７】機器の動作を示すフローチャートである。
【図８】制御装置、機器、特定通信装置及びスマートメータ間の通信手順を示すシーケンス図である。
【発明を実施するための形態】
【００１１】
（実施の形態１）
以下、実施の形態について、図面を参照しながら説明する。ここで示す実施の形態は、いずれも本発明の一具体例を示すものである。従って、以下の実施の形態で示される数値、形状、材料、構成要素、構成要素の配置及び接続形態、並びに、ステップ（工程）及びステップの順序等は、一例であって本発明を限定するものではない。以下の実施の形態における構成要素のうち、独立請求項に記載されていない構成要素については、任意に付加可能な構成要素である。また、各図は、模式図であり、必ずしも厳密に図示されたものではない。
【００１２】
以下、本発明の一実施形態に係る通信システムについて説明する。
【００１３】
（構成）
図１は、実施形態に係る通信システム１０、スマートメータ３００及び管理装置４０の関係を示すシステム概略図である。同図に示すシステムは、所謂次世代電力通信網（スマートグリッド）であり、電力の管理のために、各需要家（需要家１１、需要家１１ａ等）に設置されたスマートメータ３００と電力会社４１に設置された管理装置４０とをネットワークで通信可能にしている。ここで、需要家は、電力会社から電力の供給を受けている者であり、ここではその者の施設（例えば家屋）をも指す。
【００１４】
各需要家に設置されたスマートメータ３００は、需要家における電力使用量を測定する機能を有する。各需要家のスマートメータ３００からのデータ（電力使用量の測定結果等）は、コンセントレータ３１に集約され管理装置４０に伝送される。このスマートメータ３００から管理装置４０までの通信経路はＡルートと称される。コンセントレータ３１は、例えば配電線用の電柱上に設置され、複数台のスマートメータ３００からのデータを集約する集線装置である。管理装置４０は、データを収集し、例えば収集したデータに基づいて課金処理、分析、制御等の処理を行うＭＤＭＳ（Meter Data Management System）サーバ、認証サーバ等である。
【００１５】
スマートメータ３００からのデータ（電力使用量の測定結果）を需要家における通信システム１０（例えばＨＥＭＳ）側に伝送して、需要家において測定結果を活用できるようにする通信経路を、Ｂルートと称する。例えばＨＥＭＳがこのＢルートによりスマートメータ３００から電力使用量の測定結果を受信して、タブレット等の表示部を有するＨＥＭＳ機器により表示することにより、需要家で電力使用量が見えるようになり、所謂「エネルギーの見える化」が実現される。また、例えばＨＥＭＳコントローラは、スマートメータ３００から取得した電力使用量の測定結果に基づいて電力使用を抑制させる等のためにＨＥＭＳ機器を制御することが可能となる。
【００１６】
通信システム１０は、相互に通信可能な制御装置１００及び１台以上（例えば１０台）の機器（機器２００、機器２００ｘ、機器２００ｙ等）により構成される。制御装置１００は、各機器とデータの授受を行うことで、例えば各機器を制御する装置であり、また、需要家外部のインターネット等のＷＡＮ（Wide Area Network）４２に接続可能である。需要家つまり通信システム１０のユーザ等により機器のうち１台（機器２００）にはスマートメータ３００との無線通信用の特定通信装置２９０が装着されている。
【００１７】
以下、需要家１１における通信システム１０とスマートメータ３００との間のＢルートに注目して詳しく説明する。
【００１８】
図２は、制御装置１００、機器２００、特定通信装置２９０及びスマートメータ３００の主要な構成（ハードウェア構成）を示す構成図である。
【００１９】
制御装置１００は、通信システム１０がＨＥＭＳの場合はＨＥＭＳ機器とデータの授受を行うＨＥＭＳコントローラであり、例えば需要家１１の家屋（住宅）に設置された分電盤等に収容される。制御装置１００は、図２に示すように、電源部１０１、メモリ１０２、無線回路１０３、通信回路１０４及びＣＰＵ（Central Processing Unit）１０５を備える。また、制御装置１００は、図示しないキーボード等の入力手段を備え、出力部（例えばディスプレイ）を備えてもよい。
【００２０】
電源部１０１は、制御装置１００の各部に電力を供給する電源回路であり、例えば電力系統から供給された交流電力を入力として各部に必要な電力に変換する電源回路である。
【００２１】
メモリ１０２は、プログラム及びデータを予め保持しているＲＯＭ、プログラムの実行に際してデータ等の記憶に利用するためのＲＡＭ等であり、例えば不揮発性メモリを含んでいてもよい。
【００２２】
無線回路１０３は、アンテナと接続された通信回路であり、例えばＩＥＥＥ８０２．１５．４ｇ規格に従って９２０ＭＨｚ帯で無線通信を行うための通信回路である。
【００２３】
通信回路１０４は、ＷＡＮと接続する通信回路である。
【００２４】
ＣＰＵ１０５は、メモリ１０２に格納されたプログラムを実行することにより無線回路１０３及び通信回路１０４の制御等の処理を行う。
【００２５】
機器２００は、通信システム１０がＨＥＭＳの場合はＨＥＭＳ機器であり、例えばタブレット、照明器具、空調設備（エアコン）、電磁調理器、給湯機器、テレビ受像機、太陽電池、パワーコンディショナ、蓄電池等といった各種電気機器のいずれかである。
【００２６】
機器２００は、図２に示すように、電源部２０１、メモリ２０２、無線回路２０３、機能部２０４、ＣＰＵ２０５及びＵＳＢ（Universal Serial Bus）インタフェース２０６を備える。
【００２７】
電源部２０１は、機器２００の各部に電力を供給する電源回路であり、例えば電力系統から供給された交流電力を入力として各部に必要な電力に変換する電源回路である。
【００２８】
メモリ２０２は、プログラム及びデータを予め保持しているＲＯＭ、プログラムの実行に際してデータ等の記憶に利用するためのＲＡＭ等であり、例えば不揮発性メモリを含んでいてもよい。
【００２９】
無線回路２０３は、アンテナと接続された通信回路であり、例えばＩＥＥＥ８０２．１５．４ｇ規格に従って９２０ＭＨｚ帯で無線通信を行うための通信回路である。
【００３０】
機能部２０４は、機器２００の主たる機能を実現するための回路、機構等であり、機器２００が例えば照明器具であれば光源、点灯制御回路等であり、例えばタブレットであればディスプレイを含むタッチパネル、制御回路等である。
【００３１】
ＣＰＵ２０５は、メモリ２０２に格納されたプログラムを実行することにより無線回路２０３及び機能部２０４の制御等の処理を行う。
【００３２】
ＵＳＢインタフェース２０６は、周辺機器である各種ＵＳＢデバイスを接続するためのインタフェースであり、特定通信装置２９０を装着することが可能である。
【００３３】
なお、機器２００と共に通信システムを構成する他の機器２００ｘ及び機器２００ｙも、機器２００と同様の構成を備えるが、機能部２０４は各機器の主たる機能に応じた回路、機構等となる。
【００３４】
特定通信装置２９０は、図２に示すように、無線回路２９２、メモリ２９３及びＣＰＵ２９４を有し、スマートメータ３００と無線通信するためのＵＳＢデバイスである。この特定通信装置２９０は、機器２００のＵＳＢインタフェース２０６に着脱自在である。図３は、機器２００及び特定通信装置２９０の外観図である。同図において機器２００はタッチパネル２０８を備えるタブレットである例を示している。機器２００のＵＳＢインタフェース２０６におけるＵＳＢソケット（メス型コネクタ）２０９に特定通信装置２９０のＵＳＢプラグ（オス型コネクタ）２９１を挿入すると機器２００と特定通信装置２９０とが電気的に接続される。
【００３５】
特定通信装置２９０における無線回路２９２は、アンテナと接続された通信回路であり、例えばＩＥＥＥ８０２．１５．４ｇ規格に従って９２０ＭＨｚ帯でスマートメータ３００と無線通信を行うための通信回路である。
【００３６】
特定通信装置２９０におけるメモリ２９３は、プログラム及びデータを予め保持しているＲＯＭ、プログラムの実行に際してデータ等の記憶に利用するためのＲＡＭ等であり、例えば不揮発性メモリを含んでいてもよい。
【００３７】
特定通信装置２９０におけるＣＰＵ２９４は、メモリ２９３に格納されたプログラムを実行することにより無線回路２９２の制御等の処理を行う。
【００３８】
スマートメータ３００は、図２に示すように、電源部３０１、電力測定部３０２、ＣＰＵ３０３、メモリ３０４、無線回路３０５及びＣＰＵ３０６を備える。
【００３９】
電源部３０１は、電力系統から電源線を通じて供給された電力を各部に必要な電力に変換する電源回路である。
【００４０】
電力測定部３０２は、電力系統から需要家の施設へ電源線を通じて供給された電力についての使用量を測定する回路（電子式電力量計）である。
【００４１】
ＣＰＵ３０３は、メモリ３０４に格納されたプログラムを実行することにより、電力測定部３０２に電力の使用量を逐次測定させ、その測定結果を取得してメモリ３０４に格納する処理等を行う。
【００４２】
メモリ３０４は、プログラム及びデータを予め保持しているＲＯＭ、プログラムの実行に際してデータ等の記憶に利用するためのＲＡＭ等であり、例えば不揮発性メモリを含んでいてもよい。
【００４３】
無線回路３０５は、アンテナと接続された通信回路であり、例えばＩＥＥＥ８０２．１５．４ｇ規格に従って９２０ＭＨｚ帯で無線通信を行うための通信回路である。
【００４４】
ＣＰＵ３０６は、メモリ３０４に格納されたプログラムを実行することにより無線回路３０５の制御等の処理を行う。
【００４５】
図４は、上述のハードウェア構成を備える制御装置１００、機器２００、特定通信装置２９０及びスマートメータ３００の機能面での主な構成要素を示す機能ブロック図である。なお、制御装置１００、機器２００及び特定通信装置２９０は通信システム１０（ＨＥＭＳ等）の構成要素である。
【００４６】
制御装置１００は、図４に示すように機能面では受付部１１０、認証部１２１、送信部１２２、受信部１２３、記録部１２４及び指示部１２５を備える。
【００４７】
受付部１１０は、キーボード等の入力手段で実現され、需要家つまりユーザからＢルート認証用情報の入力を受け付けて通信制御部１２０に伝達する機能を有する。Ｂルート認証用情報は、ユーザによるスマートメータ３００についてのＢルートの利用にあたり電力会社等においてユーザの識別を行うためのＢルート認証ＩＤとパスワードとから構成される情報である。Ｂルート認証ＩＤ及びＢルート認証用情報は、電力会社等において管理され、スマートメータ３００にアクセスする機器等を認証するために用いられる。なお、Ｂルート認証用情報は、少なくともＢルート認証ＩＤの一部を含む情報であれば、例えば３２桁１６進数のＢルート認証ＩＤの一部（８桁）だけであってもよい。ユーザは、電力使用量の測定結果を需要家の通信システム１０で利用するためには、例えばスマートメータ３００を設置した電力会社等からＢルート認証用情報を記載した書類（葉書等）を受け取り、そのＢルート認証用情報を制御装置１００に入力する。
【００４８】
認証部１２１は、プログラムを実行するＣＰＵ１０５及び無線回路１０３により実現され、通信システム１０（ＨＥＭＳ等）に加わった機器から認証要求を受けた場合に機器を認証する機能を有する。この認証は、通信システム１０におけるネットワークアクセスつまりデータ授受の前提となるものであり、認証に成功すればデータの暗号化処理及び復号処理に必要な鍵の交換がなされ、制御装置１００と機器との間でデータを適切に授受できるようになる。通信システム１０において機器の認証のために用いる機器認証用情報は予め制御装置１００及び機器２００に設定されている。この設定はユーザの入力、操作等を介してなされる。例えば制御装置１００が予め保持する機器認証用情報を、制御装置１００の筐体に貼付された紙等に印刷されたＱＲコード（登録商標）で表示し、機器のカメラ等で撮影することで機器はＱＲコード（登録商標）を読み取って機器認証用情報の設定が可能となる。また、機器がカメラ等の撮影手段を有さない場合には制御装置１００において紙等に印刷された数値をユーザが機器に入力する等によって機器認証用情報の設定がなされてもよい。上述した機器の認証により、需要家１１における通信システム１０のネットワークに、需要家１１ａにおける機器等がアクセスすることが防止され、セキュリティが確保される。なお、認証した機器についての情報（アドレス等）はメモリ１０２等に保持され必要に応じて利用される。
【００４９】
送信部１２２は、プログラムを実行するＣＰＵ１０５及び無線回路１０３により実現され、受付部１１０から伝達されたＢルート認証用情報を機器に対して送信する機能を有する。
【００５０】
受信部１２３は、プログラムを実行するＣＰＵ１０５及び無線回路１０３により実現され、機器から、特定通信装置２９０を装着した旨の装着通知、スマートメータによる認証が成功した旨を示す成功情報等を受信する機能を有する。
【００５１】
記録部１２４は、メモリ１０２の一領域及びＣＰＵ１０５により実現され、受信部１２３により機器から成功情報が受信された場合にその機器を示す機器情報をメモリ１０２に記録する機能を有する。この機器情報は制御装置１００においてスマートメータ３００とデータの授受を行う必要が生じた場合に参照され、制御装置１００は例えば機器情報が示す機器を制御して、スマートメータ３００での電力使用量の測定結果を取得させる。
【００５２】
指示部１２５は、機器情報が示す機器に対してスマートメータ３００での電力使用量の測定結果を取得すべき指示を送信する機能を有する。
【００５３】
機器２００は、図４に示すように機能面では認証要求部２２１、受信部２２２、伝達部２２３、制御部２２４、送信部２２５、装着部２３０及び機能部２４０を備える。
【００５４】
認証要求部２２１は、プログラムを実行するＣＰＵ２０５及び無線回路２０３により実現され、予め設定された機器認証用情報を用いて、制御装置１００に対し無線通信により認証を要求する機能を有する。この認証は、通信システム１０のネットワーク（ＨＡＮ等）におけるデータ授受の前提となるものである。制御装置１００による認証が成功すればデータの暗号化処理及び復号処理に必要な鍵の交換がなされ、機器２００が制御装置１００との間でデータを適切に授受できるようになる。
【００５５】
受信部２２２は、プログラムを実行するＣＰＵ２０５及び無線回路２０３により実現され、制御装置１００から情報を受信する機能を有する。受信する情報は、Ｂルート認証用情報、スマートメータ３００での電力使用量の測定結果の取得指示等の制御情報等である。
【００５６】
伝達部２２３は、プログラムを実行するＣＰＵ２０５により実現され、受信部２２２により受信されたＢルート認証用情報を、装着部２３０に装着された特定通信装置２９０に伝達（送信）する機能を有する。
【００５７】
制御部２２４は、プログラムを実行するＣＰＵ２０５により実現され、受信部２２２により受信された制御情報に応じて機能部２４０或いは特定通信装置２９０を制御する機能と、制御の結果を示す情報を送信部２２５に伝達する機能とを有する。
【００５８】
送信部２２５は、プログラムを実行するＣＰＵ２０５及び無線回路２０３により実現され、制御部２２４から伝達された情報を制御装置１００に送信する機能を有する。送信部２２５は更に、特定通信装置２９０が機器２００に装着されたときにおいてその装着の旨を示す装着通知を制御装置１００に送信する機能も有する。
【００５９】
装着部２３０は、ＵＳＢソケット２０９を含むＵＳＢインタフェース２０６により実現され、ＵＳＢデバイスである特定通信装置２９０を着脱自在に装着する機能を有する。
【００６０】
機能部２４０は、機器２００の主たる機能を担い、機器２００がタブレットであれば例えばスマートメータ３００から測定結果を取得してユーザ操作等に応じてディスプレイに測定結果を表示する機能を有する。この機能部２４０は、機能部２０４、ＣＰＵ２０５等により実現される。
【００６１】
特定通信装置２９０は、図４に示すように機能面では記憶部２９５及び認証要求部２９６を備える。
【００６２】
記憶部２９５は、メモリ２９３の一領域により実現され、機器２００から伝達されたＢルート認証用情報を記憶する機能を有する。
【００６３】
認証要求部２９６は、プログラムを実行するＣＰＵ２９４及び無線回路２９２により実現され、記憶部２９５に記憶されたＢルート認証用情報を用いて、スマートメータ３００に対し無線通信により認証を要求する機能を有する。この認証は、Ｂルートでのデータ授受の前提となるものであり、認証に成功すればデータの暗号化処理及び復号処理に必要な鍵の交換がなされ、データを適切に授受できるようになる。認証に成功した場合には認証要求部２９６は機器２００に認証成功の旨の成功情報を通知する。なお、鍵の交換により、例えば秘密鍵暗号方式における秘密鍵（共通鍵）の共有が行える。但し、暗号化処理及び復号処理に用いる暗号方式は、いかなる方式であってもよい。Ｂルートでスマートメータとの間でデータを送受する通信システム側の機器類（制御装置、機器、特定通信装置）においてはスマートメータから得た鍵を用いて暗号化及び復号を、特定通信装置の部分で行うことができる。また、特定通信装置から鍵を取得して暗号化及び復号を機器或いは制御装置の部分で行うこととしてもよい。
【００６４】
Ｂルートの認証に成功すれば通信システム１０内の各機器及び制御装置１００は、特定通信装置２９０を装着した機器２００を介してスマートメータ３００からの電力使用量の測定結果等のデータを取得して活用することができる。スマートメータ３００による電力使用量の測定結果等を利用するために、ユーザは、通信システム１０を構成する各機器のうちスマートメータ３００との無線通信に適した１台の機器を選択して、その機器に特定通信装置２９０を装着するとよい。スマートメータ３００との無線通信に適した機器の一例としては、各機器のうちスマートメータ３００の設置位置から最も近くに所在する機器が挙げられる。通信システム１０において、スマートメータ３００と無線通信が可能な機器が少なくとも１台存在すれば、その機器に特定通信装置２９０を装着することで、通信システム１０においては各機器がスマートメータ３００からのデータを利用可能となる。
【００６５】
スマートメータ３００は、図４に示すように機能面では測定部３１０及び通信制御部３２０を備える。
【００６６】
測定部３１０は、電力測定部３０２及びＣＰＵ３０３により実現され、需要家における電力使用量を逐次測定する機能を有する。
【００６７】
通信制御部３２０は、無線回路３０５及びＣＰＵ３０６により実現され、認証部３２１を有する。通信制御部３２０は、測定部３１０により測定された電力使用量の測定結果に所定の鍵を用いた暗号化処理を施して無線送信する機能を有する。認証部３２１により認証に成功した機器類（特定通信装置２９０或いはこの特定通信装置２９０を装着した機器２００等）であれば認証に際して復号するための鍵を与えられるので、送信された測定結果を適切に利用することができる。
【００６８】
認証部３２１は、機器類（特定通信装置２９０等）から認証要求を受けた場合に受信したＢルート認証用情報が、正当なものであるか否かを検証し正当なものであった場合には認証に成功したと扱う機能を有する。なお、機器類（特定通信装置２９０等）から受信したＢルート認証用情報が正当なものであるかを検証するために、認証部３２１は、例えばスマートメータ３００に予め設定された検証用の情報を利用する。或いは認証部３２１は、Ａルートを介して予め検証用の情報を有する管理装置４０内の認証サーバに検証を依頼してその結果を得ることとしてもよい。認証部３２１は、認証に成功した機器類に対しては、データの暗号化処理及び復号処理に必要な鍵の交換を行う。
【００６９】
なお、スマートメータ３００は、Ａルートを介して、電力使用量の測定結果を管理装置４０へ送信する機能、管理装置４０の制御を受けて需要家への電源線の開閉制御（接続及び切断の制御）をする機能等を有してもよい。
【００７０】
以上の構成を備える制御装置１００、機器２００、特定通信装置２９０及びスマートメータ３００が通信（データの授受）に用いるプロトコルスタック（プロトコル群）は、通信システム１０がＨＥＭＳであれば例えば図５に示すものとなる。
【００７１】
即ち、例えば物理層はＩＥＥＥ８０２．１５．４ｇ、データリンク層におけるＭＡＣ層はＩＥＥＥ８０２．１５．４、アダプテーション層（ネットワーク層の一部）は６ＬｏＷＰＡＮ（IPv6 over Low power Wireless Personal Area Networks）、ネットワーク層はＩＰｖ６（Internet Protocol version 6）、トランスポート層はＵＤＰ（User Datagram Protocol）、アプリケーション層はＥＣＨＯＮＥＴ  Ｌｉｔｅ（登録商標）及びＰＡＮＡ（Protocol for carrying Authentication for Network Access）である。ＰＡＮＡは、ＩＥＴＦ（Internet Engineering Task Force）でＲＦＣ５１９１として標準化された、ＵＤＰ／ＩＰ上でＥＡＰ（Extensible Authentication Protocol）メッセージの送受を行うための認証プロトコル（ネットワークアクセス認証プロトコル）である。なお、ＥＡＰは、各種の認証方式（例えばパスワードによる認証、証明書による認証等）に対応する認証プロトコルである。通信システム１０がＨＥＭＳでない場合、例えば、ＢＥＭＳ（Building Energy Management System）、ＦＥＭＳ（Factory Energy Management System）等の場合において、アプリケーション層のＥＣＨＯＮＥＴ  Ｌｉｔｅ（登録商標）をそのシステムに適した他のプロトコルに変更してもよい。
【００７２】
通信システム１０においては、特定通信装置２９０或いはこの特定通信装置２９０を装着した機器２００がスマートメータ３００から認証を受けるために用いる認証プロトコルがＰＡＮＡである。また、機器２００が制御装置１００から認証を受けるための認証プロトコルとしてもＰＡＮＡを用いている。ここでは、通信システム１０における機器認証とＢルートでの認証とに同一の認証プロトコル（特定認証プロトコルと称する）を用いるものとする。
【００７３】
（動作）
以下、上述の構成を備える通信システム１０における制御装置１００の動作について図６に即して説明する。
【００７４】
図６は、制御装置１００の動作を示すフローチャートである。同図では、便宜上、一部の異常処理に係る動作を省略している。
【００７５】
制御装置１００は、機器認証用情報の設定（機器認証用情報設定）を行う（ステップＳ１１）。これは、例えばユーザによる制御装置１００への機器認証用情報の入力に基づく。また、予め機器認証用情報が不揮発性メモリ等に記憶されていることであってもよい。この機器認証用情報は機器が認証要求をした場合に機器から取得した機器認証用情報を検証するために用いることのできる情報であればよい。
【００７６】
制御装置１００の認証部１２１は、機器２００が通信システム１０に加わる際において、特定認証プロトコルに従って機器認証要求の受信（つまり機器認証用情報の受信）を行う（ステップＳ１２）。そして、認証部１２１は、受信した機器認証用情報をステップＳ１１で設定している機器認証用情報と比較して一致したことをもって機器２００の認証に成功したと扱い、認証に成功した場合に鍵交換を行う（ステップＳ１３）。この鍵交換がなされた後においては、通信システム１０において制御装置１００と機器２００との間で暗号化したデータの授受が可能となる。従って、通信システム１０がＨＥＭＳであれば、ＨＡＮを通じてＨＥＭＳコントローラである制御装置１００はＨＥＭＳ機器である機器２００の制御等を行うようになる。なお、制御装置１００は認証した機器とのデータの授受を暗号化して行う。従って、制御装置１００は、セキュリティを確保して、機器２００との間でＥＣＨＯＮＥＴ  Ｌｉｔｅフレームの授受を行って、例えば機器２００の制御、状態監視等ができるようになる。なお、制御装置１００は、例えばＥＣＨＯＮＥＴ  Ｌｉｔｅ（登録商標）におけるコントローラクラスの機器オブジェクトである。機器２００以外の他の機器（機器２００ｘ、機器２００ｙ等）が通信システム１０に加わる場合にも、その機器の認証のためにステップＳ１１〜Ｓ１３における動作が実行される。
【００７７】
この通信システム１０が稼動している間において、例えば、需要家１１においてスマートメータ３００が設置された後においてユーザが入力したＢルート認証用情報を、需要家１１における制御装置１００の受付部１１０が受け付ける（ステップＳ１４）。
【００７８】
その後、ユーザがいずれかの機器（ここでは例えば機器２００）に特定通信装置２９０を装着すると、機器２００は装着通知を送信するので、制御装置１００の受信部１２３はこの装着通知を受信する（ステップＳ１５）。受信部１２３が装着通知を受信すると、受付部１１０に受け付けられたＢルート認証用情報を、送信部１２２は、装着通知の送信元である機器２００に対して送信する（ステップＳ１６）。このＢルート認証用情報は、セキュリティを確保した状態で送信される。その後、機器２００においては特定通信装置２９０を用いてスマートメータ３００に認証を要求する処理が実行されるので、制御装置１００は機器２００から認証に成功した旨を示す成功情報を受信するまで待機する（ステップＳ１７）。受信部１２３が成功情報を受信すると、制御装置１００の記録部１２４は成功情報の送信元の機器２００を示す機器情報をメモリ１０２に記録する（ステップＳ１８）。この機器情報がメモリ１０２に記録された状態においては、機器情報が示す機器及びその機器に装着された特定通信装置を介して制御装置１００はスマートメータ３００から測定結果等のデータを取得できる状態となっている。
【００７９】
制御装置１００は、スマートメータ３００による電力使用量の測定結果が必要となった場合において（ステップＳ１９）、指示部１２５により機器情報が示す機器にその測定結果を要求する指示を送信する（ステップＳ２０）。そして、受信部１２３により機器からスマートメータ３００による測定結果を受信する（ステップＳ２１）。これにより、制御装置１００は電力使用量の測定結果を収集することができ、通信システム１０を構成するいずれかの機器から要求された場合に電力使用量の測定結果を送信することや、その測定結果に基づいていずれかの機器を制御すること等が可能となる。
【００８０】
次に、通信システム１０における機器２００の動作について図７に即して説明する。
【００８１】
図７は、機器２００の動作を示すフローチャートである。同図では、便宜上、一部の異常処理に係る動作を省略している。
【００８２】
機器２００は、機器認証用情報設定を行う（ステップＳ３１）。これは、例えば上述したように制御装置１００の筐体に貼付された紙等に印刷されたＱＲコード（登録商標）を機器２００で撮影する、或いは制御装置１００において印刷された数値をユーザが機器２００に入力する等によってなされる。これにより、機器２００の不揮発性メモリ等に機器認証用情報が格納される。
【００８３】
次に機器２００の認証要求部２２１は、特定認証プロトコルに従って制御装置１００に機器認証用情報を送信することにより認証要求を行う（ステップＳ３２）。その後、制御装置１００により認証され鍵交換がなされることにより、機器２００は鍵を取得する（ステップＳ３３）。この鍵の取得により、機器２００は制御装置１００と暗号化したデータの授受が可能となる。従って、セキュリティを確保して、制御装置１００との間でＥＣＨＯＮＥＴ  Ｌｉｔｅフレームの授受を行って、例えば制御装置１００に情報を送信すること、制御装置１００が収集した情報を取得すること、制御装置１００の制御を受けること等が可能となる。
【００８４】
ユーザは、通信システム１０を構成する各機器のうちスマートメータ３００との無線通信に適した１台の機器を選択してその機器に特定通信装置２９０を装着する。例えば、機器２００が、通信システム１０を構成する機器のうちスマートメータ３００の設置位置から通信可能範囲と想定される位置に所在する機器である場合において、機器２００はユーザに選択され得る。ここでは、この選択された１台の機器が機器２００であるとして、説明を続ける。
【００８５】
ユーザにより特定通信装置２９０が機器２００の装着部２３０に装着されたら（ステップＳ３４）、機器２００の送信部２２５は制御装置１００に装着通知を送信する（ステップＳ３５）。この装着通知に呼応して制御装置からＢルート認証用情報が送信されると、機器２００の受信部２２２はＢルート認証用情報を受信する（ステップＳ３６）。続いて、機器２００の伝達部２２３は、受信部２２２により受信されたＢルート認証用情報を装着部２３０に装着されている特定通信装置２９０に伝達する（ステップＳ３７）。これにより、特定通信装置２９０では、伝達されたＢルート認証用情報を記憶部２９５に保持して、認証要求部２９６がスマートメータ３００にＢルート認証用情報を送信することで特定認証プロトコルに従って認証要求を行うことになる。この認証要求に応じて、スマートメータ３００が認証をして、鍵交換がなされた場合に、認証要求部２９６は鍵を取得し、成功情報を機器２００に伝える。機器２００の制御部２２４は、特定通信装置２９０から成功情報が伝えられると（ステップＳ３８）、送信部２２５を介して成功情報を制御装置１００に送信する（ステップＳ３９）。この成功情報により、制御装置１００は、スマートメータ３００から測定結果等のデータを取得できる状態となったことを知ることができる。
【００８６】
その後、機器２００の受信部２２２が、制御装置１００からスマートメータ３００による電力使用量の測定結果を要求する指示を受信した場合には（ステップＳ４０）、制御部２２４が特定通信装置２９０に測定結果を取得させるよう制御する（ステップＳ４１）。この制御を受けて特定通信装置２９０においては認証要求部２９６によってスマートメータ３００から電力使用量の測定結果が受信され、その測定結果を制御部２２４が取得して送信部２２５を介してその測定結果を制御装置１００に送信する（ステップＳ４２）。
【００８７】
なお、通信システム１０における他の機器２００ｘ、機器２００ｙ等も機器２００と同様の動作（図７）を行うが、特定通信装置２９０を装着されない限りステップＳ３５〜Ｓ４２の処理を行わない。
【００８８】
次に、需要家１１に設置された制御装置１００、機器２００、特定通信装置２９０及びスマートメータ３００における認証に係る処理の流れについて通信のシーケンスを中心として説明する。
【００８９】
図８は、制御装置１００、機器２００、特定通信装置２９０及びスマートメータ３００における通信処理等の処理手順を、上から下へと進むように表している。なお、図８の処理手順は、機器２００とスマートメータ３００とが、相互に無線通信の可能な範囲内（ある程度近い距離等）に位置することを前提としている。
【００９０】
まず制御装置１００は機器認証用情報の設定を行う（シーケンスＳＥＱ１）。また、機器２００は機器認証用情報の設定を行う（シーケンスＳＥＱ１ａ）。これらの機器認証用情報の設定はユーザの介在等によってなされ、この設定が、制御装置１００と機器２００とが同じ通信システム１０（例えばＨＥＭＳ）に属して相互に通信可能となるための条件となる。
【００９１】
続いて機器２００は特定認証プロトコルに従って自機に設定された機器認証用情報を送信することにより制御装置１００に認証要求を行う（シーケンスＳＥＱ２）。この認証要求に対して制御装置１００は認証応答を行い（シーケンスＳＥＱ３）、制御装置１００と機器２００との間で通信するデータの暗号化処理及び復号処理に必要な鍵の交換がなされる（シーケンスＳＥＱ４）。この後は、制御装置１００と機器２００との間はネットワーク接続された状態となり、認証要求以外のデータも相互に送受できるようになる。
【００９２】
スマートメータ３００のＢルートでの通信を可能にするために、ユーザがＢルート認証用情報を制御装置１００に入力し、制御装置１００にはＢルート認証用情報が設定される（シーケンスＳＥＱ５）。
【００９３】
その後、特定通信装置２９０がユーザにより機器２００に装着された場合（シーケンスＳＥＱ６）、機器２００は装着通知を制御装置１００に送信する（シーケンスＳＥＱ７）。なお、シーケンスＳＥＱ５でのＢルート認証用情報の入力及び設定は、このシーケンスＳＥＱ７の後に行われることとしてもよい。即ち、ステップＳ１４（図６参照）における処理がステップＳ１５とステップＳ１６との間においてなされるようにしてもよい。
【００９４】
続いて、制御装置１００は装着通知の送信元の機器２００に対して、Ｂルート認証用情報を送信する（シーケンスＳＥＱ８）。機器２００は、Ｂルート認証用情報を受信して特定通信装置２９０に伝達する（シーケンスＳＥＱ９）。
【００９５】
特定通信装置２９０は、伝達されたＢルート認証用情報をスマートメータ３００に送信することで認証要求を行う（シーケンスＳＥＱ１０）。この認証要求に対してスマートメータ３００は認証応答を行い（シーケンスＳＥＱ１１）、スマートメータ３００と特定通信装置２９０との間で通信するデータの暗号化処理及び復号処理に必要な鍵の交換がなされる（シーケンスＳＥＱ１２）。特定通信装置２９０は、認証に成功した旨の成功情報を機器２００に伝達し（シーケンスＳＥＱ１３）、この成功情報を受けて機器２００は成功情報を制御装置１００に送信する（シーケンスＳＥＱ１４）。これにより制御装置１００は、スマートメータ３００のＢルートが開通したことを知り、成功情報の送信元の機器２００を示す機器情報を記録する（シーケンスＳＥＱ１５）。
【００９６】
制御装置１００は、電力使用量の測定結果が必要となった場合に、機器情報が示す機器２００に測定結果を要求する指示を送信する（シーケンスＳＥＱ１６）。この指示を受信すると機器２００は特定通信装置２９０に測定結果を要求し（シーケンスＳＥＱ１７）、特定通信装置２９０はスマートメータ３００に電力使用量の測定結果の要求を送信する（シーケンスＳＥＱ１８）。スマートメータ３００が電力使用量の測定結果（測定結果情報）を送信すると（シーケンスＳＥＱ１９）、特定通信装置２９０はその測定結果情報を機器２００に伝達し（シーケンスＳＥＱ２０）、機器２００は測定結果情報を制御装置１００に送信する（シーケンスＳＥＱ２１）。これにより、通信システム１０（例えばＨＥＭＳ）の制御装置１００（例えばＨＥＭＳコントローラ）は電力使用量の測定結果を収集することができ、その測定結果に基づいて通信システム１０における各機器を制御すること等が可能となる。
【００９７】
（他の実施の形態等）
以上、実施の形態１により通信システム１０について説明したが、上述した実施形態は一例にすぎず、各種の変更、付加、省略等が可能であることは言うまでもない。
【００９８】
実施の形態１で示したスマートメータ３００は、電力使用量の測定を行うものとしたが、電気以外のガス、水道等のエネルギーの使用量を測定する機能を有するものであってもよい。同様に電力会社４１は、ガス、水等の資源を供給する又はその管理をする会社等であってもよい。また、スマートメータ３００と通信システム１０との間のＢルートでエネルギーの使用量の測定結果が送受される他、他のデータの送受がなされることとしてもよい。
【００９９】
また、実施の形態１で示した制御装置１００は、装着部２３０を備えて特定通信装置２９０を装着できるものであってもよい。この場合には、ユーザは通信システム１０を構成する各機器よりも制御装置１００がスマートメータ３００との通信に適していると判断した場合に、特定通信装置２９０を制御装置１００に装着することができる。特定通信装置２９０が制御装置１００に装着された場合には、図８で示したシーケンスＳＥＱ８、ＳＥＱ１４、ＳＥＱ１６及びＳＥＱ２１を省略することができる。Ｂルートの通信に関して制御装置１００が図８での機器２００の役割をも担うことになるからである。
【０１００】
また、実施の形態１で示した制御装置１００は、認証要求部２９６と同様の機能部を備えていてもよい。そして、制御装置１００が自らスマートメータ３００と無線通信することにより認証要求をしたにも拘わらず失敗した場合に限って、通信システム１０を構成する１台の機器に装着された特定通信装置２９０に代替的に認証要求を行わせることとしてもよい。
【０１０１】
また、実施の形態１では、ユーザがＢルート認証用情報を制御装置１００に入力することとし、制御装置１００はＢルート認証用情報を特定通信装置２９０が装着された機器に送信し、その機器がＢルート認証用情報を特定通信装置２９０に伝達することとした。しかし、特定通信装置２９０にＢルート認証用情報を記憶させる方法は他の方法であってもよい。例えば、制御装置１００或いは他のＵＳＢインタフェースを有するコンピュータ等に特定通信装置２９０を装着してユーザがＢルート認証用情報を特定通信装置２９０に記憶させることができるようにしてもよい。また、予め電力会社等からＢルート認証用情報を記憶させた特定通信装置２９０を需要家に配達することとしてもよい。これらの場合には機器２００が特定通信装置２９０を装着したときに制御装置１００に装着通知を送信することは不要となる。また、制御装置１００が入力されたＢルート認証用情報を通信システム１０を構成する各機器にブロードキャスト（送信）することとし、各機器は特定通信装置２９０が装着された場合にＢルート認証用情報を特定通信装置２９０に伝達するようにしてもよい。
【０１０２】
また、実施の形態１では、特定通信装置２９０がＵＳＢデバイスであり、装着部２３０と特定通信装置２９０とはＵＳＢインタフェースで接続されることとした。ＵＳＢインタフェースが普及していることによる利点があるからである。しかし、特定通信装置２９０はＵＳＢデバイスでなくてもよく、装着部２３０と特定通信装置２９０とはＵＳＢ以外の規格に準拠したインタフェースにより接続されることとしてもよい。
【０１０３】
また、実施の形態１では、特定通信装置２９０或いはこの特定通信装置２９０を装着した機器２００がスマートメータ３００から認証を受けるために用いる認証プロトコルがＰＡＮＡであることとした。また、機器２００が制御装置１００から認証を受けるための認証プロトコルとしてもＰＡＮＡを用いることとした。しかし、スマートメータ３００が用いるＢルートの認証プロトコルと、通信システムにおいて制御装置が機器を認証するために用いる認証プロトコルとは必ずしも同一にする必要はない。また、認証プロトコルとしてＰＡＮＡ以外の認証プロトコルを使用してもよい。更に、通信システムにおいて及びＢルートにおいて図５に示した以外の通信プロトコルを用いることとしてもよい。
【０１０４】
また、実施の形態１では通信システム１０は、例えば家屋に設置されＨＡＮで接続されるＨＥＭＳであるとして説明した。しかし、通信システムは、ＨＥＭＳに限られることはなく、例えばビルにおけるＢＥＭＳ（Building Energy Management System）、工場におけるＦＥＭＳ（Factory Energy Management System）等、いかなるシステムであってもよい。また、通信システムにおいて制御装置は複数台存在してもよい。
【０１０５】
また、上述の実施の形態では各機器類がプログラム、データ等を格納するためのメモリを有することとしたが、プログラム、データ等を格納するためにメモリ以外にハードディスクその他の記憶媒体を有することとしてもよい。
【０１０６】
また、上述の通信システムにおける制御装置と機器との間では無線通信がなされることとした。しかし、通信システム１０における機器には例えばＬＡＮ（Local Area Network）ケーブル、ＰＬＣ（Power Line Communication）等により有線で制御装置と通信するものがあってもよい。
【０１０７】
また、上述の制御装置及び機器における処理手順（図６及び図７に示す処理等）の実行順序は、必ずしも、上述の実施の形態に示した通りの順序に制限されるものではなく、発明の要旨を逸脱しない範囲で、実行順序を入れ替えたりその一部を省略したりすることができるものである。また、上述の制御装置及び機器における処理手順の全部又は一部は、各機器類のハードウェアにより実現されても、ソフトウェアを用いて実現されてもよい。なお、ソフトウェアによる処理は、各機器類に含まれるＣＰＵがメモリに記憶された制御用のプログラムを実行することにより実現されるものである。また、そのプログラムを記録媒体に記録して頒布や流通させてもよい。例えば、頒布された制御プログラムを機器類にインストールして、機器類のＣＰＵに実行させることで、機器類に各種処理（図６及び図７に示す処理等）を行わせることが可能となる。
【０１０８】
また、上述した実施の形態で示した構成要素及び機能を任意に組み合わせることで実現される形態も本発明の範囲に含まれる。
【０１０９】
なお、本発明の包括的又は具体的な各種態様には、装置、システム、方法、集積回路、コンピュータプログラム、コンピュータで読み取り可能な記録媒体等の１つ又は複数の組合せが含まれる。
【０１１０】
以下、本発明の一態様に係る通信システム、及び、この通信システムに用いられる機器の構成、変形態様及び効果について示す。
【０１１１】
（１）本発明の一態様に係る機器は、制御装置１００と共に一施設で用いられる機器２００であって、前記施設におけるエネルギーの使用量を測定し認証の成功を条件として当該測定結果に基づく情報を送信するスマートメータ３００に対して認証を要求するために、スマートメータ３００との間で無線通信を行う特定通信装置２９０を装着するための装着部２３０と、装着部２３０に特定通信装置２９０が装着されている場合に特定通信装置２９０から取得した情報を制御装置１００に送信する送信部２２５とを備える機器である。なお、一施設は屋内、屋外を問わない。
【０１１２】
この構成により、スマートメータ３００との通信に適した位置に所在する機器２００に特定通信装置２９０を装着すれば、制御装置１００はスマートメータ３００と無線通信できない場合でもスマートメータ３００からの情報を取得できる。なお、機器２００に装着した特定通信装置２９０により認証処理を行うため、単にスマートメータ３００と制御装置１００等との間に無線中継専用の中継器を設けるより効率が良い。
【０１１３】
（２）例えば、機器２００は更に、制御装置１００から認証用情報を受信する受信部２２２と、受信部２２２に受信された認証用情報を特定通信装置２９０に伝達する伝達部２２３とを備えることとしてもよい。
【０１１４】
これにより、制御装置１００においてユーザが認証用情報（Ｂルート認証用情報）を入力すれば、その認証用情報を用いて特定通信装置２９０がＢルートでの通信のために認証要求を行うことができるようになる。
【０１１５】
（３）本発明の一態様に係る通信システムは、一施設で情報の授受を行うための通信ネットワークを構成する制御装置１００及び１以上の機器（２００、２００ｘ、２００ｙ）を備える通信システム１０であって、機器（２００、２００ｘ、２００ｙ）は、前記施設におけるエネルギーの使用量を測定し認証の成功を条件として当該測定結果に基づく情報を送信するスマートメータ３００に対して認証を要求するために、スマートメータ３００との間で無線通信を行う特定通信装置２９０を装着するための装着部２３０と、装着部２３０に特定通信装置２９０が装着されている場合に特定通信装置２９０から取得した情報を制御装置１００に送信する送信部２２５とを備え、制御装置１００は、機器２００から送信された特定通信装置２９０に係る前記情報を受信する受信部１２３を備える通信システムである。なお、一施設は屋内、屋外を問わない。
【０１１６】
この構成により、スマートメータ３００との通信に適した位置に所在する機器２００に特定通信装置２９０を装着すれば、通信システム１０においてスマートメータ３００からの情報を利用することができる。
【０１１７】
（４）例えば、制御装置１００は更に、受信部１２３が機器２００から送信された前記情報を受信した場合に機器２００を示す機器情報を記録する記録部１２４と、記録部１２４に記録された機器情報が示す機器２００に対して、スマートメータ３００に対して前記測定結果に基づく情報の送信を要求するよう指示する指示部１２５とを有し、機器２００は更に、制御装置１００から前記指示を受けた場合に、特定通信装置２９０に、スマートメータ３００に対して前記測定結果に基づく情報の送信を要求するための通信を行わせる制御部２２４を有することとしてもよい。
【０１１８】
これにより、制御装置１００は、どの機器を介してスマートメータ３００と通信可能であるかを認識することができ、随時、機器を介してスマートメータ３００との間で通信を行うことができるようになる。
【０１１９】
（５）例えば、機器２００は更に、制御装置１００から認証用情報を受信する受信部２２２と、受信部２２２に受信された認証用情報を特定通信装置２９０に伝達する伝達部２２３とを備え、特定通信装置２９０は、機器２００から伝達された認証用情報をスマートメータ３００に送信することで前記認証の要求を行うこととしてもよい。
【０１２０】
これにより、通信システム１０において制御装置１００にユーザが認証用情報（Ｂルート認証用情報）を入力すれば、その認証用情報を用いて特定通信装置２９０がＢルートでの通信のために認証要求を行うことができるようになる。
【符号の説明】
【０１２１】
１０  通信システム
１００  制御装置
１２３  受信部
１２４  記録部
１２５  指示部
２００、２００ｘ、２００ｙ  機器
２２２  受信部
２２３  伝達部
２２５  送信部
２３０  装着部
２９０  特定通信装置
３００  スマートメータ
【図１】
2016038799.tif 000003
【図２】
2016038799.tif 000004
【図３】
2016038799.tif 000005
【図４】
2016038799.tif 000006
【図５】
2016038799.tif 000007
【図６】
2016038799.tif 000008
【図７】
2016038799.tif 000009
【図８】
2016038799.tif 000010